(57)【特許請求の範囲】
【請求項１】
動画像をDV（Digital Video）方式の第１の画像データに符号化する第１の符号化手段と、
前記第１の画像データを記録する第１の記録手段と、
記録されている前記第１の画像データをコンポジット信号に変換する変換手段と、
前記コンポジット信号に所定の信号処理を適用する信号処理手段と、
前記信号処理が適用された前記コンポジット信号を基に、前記動画像をH.264/AVC（ITU-T Rec. H.264/ISO/IEC 14496-10 MPEG-4 Part10 Advanced Video Coding）方式の第２の画像データに符号化する第２の符号化手段とを備え、
前記信号処理手段は、ゴーストの成分を減衰させる前記信号処理を前記コンポジット信号に適用する
記録装置。
【請求項２】
前記信号処理手段は、輝度信号と色信号とに３次元で分離する前記信号処理を前記コンポジット信号に適用する
請求項１に記載の記録装置。
【請求項３】
動画像をDV（Digital Video）方式の第１の画像データに符号化し、
前記第１の画像データの記録を制御し、
記録されている前記第１の画像データをコンポジット信号に変換し、
前記コンポジット信号に所定の信号処理を適用し、
前記信号処理が適用された前記コンポジット信号を基に、前記動画像をH.264/AVC（ITU-T Rec. H.264/ISO/IEC 14496-10 MPEG-4 Part10 Advanced Video Coding）方式の第２の画像データに符号化するステップを含み、
前記所定の信号処理としてゴーストの成分を減衰させる前記信号処理が前記コンポジット信号に適用される
記録方法。
【請求項４】
動画像をDV（Digital Video）方式の第１の画像データに符号化し、
前記第１の画像データの記録を制御し、
記録されている前記第１の画像データをコンポジット信号に変換し、
前記コンポジット信号に所定の信号処理を適用し、
前記信号処理が適用された前記コンポジット信号を基に、前記動画像をH.264/AVC（ITU-T Rec. H.264/ISO/IEC 14496-10 MPEG-4 Part10 Advanced Video Coding）方式の第２の画像データに符号化するステップをコンピュータに実行させ、
前記所定の信号処理としてゴーストの成分を減衰させる前記信号処理が前記コンポジット信号に適用される
プログラム。
【請求項５】
第１の動画像をDV方式の第１の画像データに符号化する第１の符号化手段と、
第２の動画像を前記DV方式の第２の画像データに符号化する第２の符号化手段と、
前記第１の画像データおよび前記第２の画像データを記録する第１の記録手段と、
記録されている前記第１の画像データまたは前記第２の画像データをコンポジット信号に変換する変換手段と、
前記コンポジット信号に所定の信号処理を適用する信号処理手段と、
記録されている前記第１の画像データまたは前記第２の画像データを基に、前記第１の動画像または前記第２の動画像をH.264/AVC方式の第３の画像データに符号化する第３の符号化手段とを備え、
前記第３の符号化手段は、前記信号処理が適用された前記コンポジット信号によって、
前記第１の動画像または前記第２の動画像を前記第３の画像データに符号化し、
前記信号処理手段は、ゴーストの成分を減衰させる前記信号処理を前記コンポジット信号に適用する
記録装置。
【請求項６】
前記信号処理手段は、輝度信号と色信号とに３次元で分離する前記信号処理を前記コンポジット信号に適用する
請求項５に記載の記録装置。
【請求項７】
前記第３の画像データを記録する第２の記録手段をさらに備える
請求項５に記載の記録装置。
【請求項８】
第１の動画像を第１の方式の第１の画像データに符号化し、
第２の動画像を前記第１の方式の第２の画像データに符号化し、
前記第１の画像データおよび前記第２の画像データの記録を制御し、
記録されている前記第１の画像データまたは前記第２の画像データをコンポジット信号に変換し、
前記コンポジット信号に所定の信号処理を適用し、
記録されている前記第１の画像データまたは前記第２の画像データを基に、前記第１の動画像または前記第２の動画像をH.264/AVC方式の第３の画像データに符号化するステップを含み、
前記信号処理が適用された前記コンポジット信号によって、前記第１の動画像または前記第２の動画像が前記第３の画像データに符号化され、
前記所定の信号処理として、ゴーストの成分を減衰させる前記信号処理が前記コンポジット信号に適用される
記録方法。
【請求項９】
第１の動画像を第１の方式の第１の画像データに符号化し、
第２の動画像を前記第１の方式の第２の画像データに符号化し、
前記第１の画像データおよび前記第２の画像データの記録を制御し、
記録されている前記第１の画像データまたは前記第２の画像データをコンポジット信号に変換し、
前記コンポジット信号に所定の信号処理を適用し、
記録されている前記第１の画像データまたは前記第２の画像データを基に、前記第１の動画像または前記第２の動画像をH.264/AVC方式の第３の画像データに符号化するステップをコンピュータに実行させ、
前記信号処理が適用された前記コンポジット信号によって、前記第１の動画像または前記第２の動画像が前記第３の画像データに符号化され、
前記所定の信号処理として、ゴーストの成分を減衰させる前記信号処理が前記コンポジット信号に適用される
プログラム。
【発明の詳細な説明】
【技術分野】
【０００１】
本発明は記録装置および方法、並びにプログラムに関し、特に、画像を記録する記録装置および方法、並びにプログラムに関する。
【背景技術】
【０００２】
複数のチャンネルの番組を同時に記録するHDD（Hard Disk Drive）／DVD（Digital Versatile Disc）レコーダが利用されている。
【０００３】
図１は、従来のHDDレコーダの構成を示すブロック図である。チューナ１１−１は、所定のチャンネルの番組を受信して、受信した番組のコンポジット信号をゴーストリデューサ１２−１に供給する。ゴーストリデューサ１２−１は、コンポジット信号に含まれるゴーストの成分を減衰させて、ゴーストの成分を減衰させたコンポジット信号を３次元Y/C分離部１３−１に供給する。
【０００４】
３次元Y/C分離部１３−１は、画像の画面方向と時間方向とで、コンポジット信号の差分を取ることにより、コンポジット信号を輝度信号と色信号とに分離する。３次元Y/C分離部１３−１は、分離して得られた輝度信号と色信号とをクロマデコーダ１４−１に供給する。クロマデコーダ１４−１は、色信号を色差信号に復号する。クロマデコーダ１４−１は、復号により得られた色差信号および輝度信号をMPEG（Moving Pictures Experts Group）エンコーダ１５−１に供給する。
【０００５】
MPEGエンコーダ１５−１は、色差信号および輝度信号をMPEG方式で符号化して、符号化により得られた画像データをHDD１６に供給する。HDD１６は、MPEGエンコーダ１５−１から供給された画像データを記録する。
【０００６】
また、チューナ１１−２は、チューナ１１−１において受信する番組のチャンネルと異なるチャンネルの番組を受信して、受信した番組のコンポジット信号をゴーストリデューサ１２−２に供給する。ゴーストリデューサ１２−２は、コンポジット信号に含まれるゴーストの成分を減衰させて、ゴーストの成分を減衰させたコンポジット信号を３次元Y/C分離部１３−２に供給する。
【０００７】
３次元Y/C分離部１３−２は、画像の画面方向と時間方向とで、コンポジット信号の差分を取ることにより、コンポジット信号を輝度信号と色信号とに分離する。３次元Y/C分離部１３−２は、分離して得られた輝度信号と色信号とをクロマデコーダ１４−２に供給する。クロマデコーダ１４−２は、色信号を色差信号に復号する。クロマデコーダ１４−２は、復号により得られた色差信号および輝度信号をMPEGエンコーダ１５−２に供給する。
【０００８】
MPEGエンコーダ１５−２は、色差信号および輝度信号をMPEG方式で符号化して、符号化により得られた画像データをHDD１６に供給する。HDD１６は、MPEGエンコーダ１５−２から供給された画像データを記録する。
【０００９】
チューナ１１−１乃至MPEGエンコーダ１５−１と、チューナ１１−２乃至MPEGエンコーダ１５−２とが独立して並列にHDD１６に画像データを供給するので、HDD１６は、同時に放送されている２つの番組の画像データを記録することができる。
【００１０】
また、Ｎチャンネル（ＣＨ）の映像信号を、同時記録する際に、ＮＣＨの映像信号をＡ／Ｄ変換した信号を夫々記憶して、その記憶された各ＣＨのフレーム信号のフレーム画像に係る画素を間引き１／ｍとし、かつラインを間引き１／ｎ（ｍ，ｎは、Ｎ＝ｍ×ｎが２以上の自然数）として低減した画像低減フレーム信号を生成出力するＮ個のＣＨフレームメモリと、Ｎ個のＣＨフレームメモリより出力される各画像低減フレーム信号を画像低減フレーム信号用に区分した領域に記憶するフレームメモリと、フレームメモリの出力を符号化して、その出力をディスクに供給するエンコーダとで構成する映像信号記録装置がある（例えば、特許文献１参照）。
【００１１】
【特許文献１】特開２００２−３６９１４４号公報
【発明の開示】
【発明が解決しようとする課題】
【００１２】
しかしながら、従来のHDDレコーダにおける、ゴーストリデューサ１２−１およびゴーストリデューサ１２−２、３次元Y/C分離部１３−１および３次元Y/C分離部１３−２、並びにMPEGエンコーダ１５−１およびMPEGエンコーダ１５−２の回路規模は大きく、ゴーストリデューサ１２−１およびゴーストリデューサ１２−２、３次元Y/C分離部１３−１および３次元Y/C分離部１３−２、並びにMPEGエンコーダ１５−１およびMPEGエンコーダ１５−２において実行される処理の処理量は大きい。
【００１３】
従って、同時に録画しようとする番組の数を増やそうとすると、その数に比例して、装置の回路規模が大きくなるか、処理量が大きくなってしまう。これにより、装置の実現に必要なコストが大きくなってしまう（装置が高くなってしまう）。
【００１４】
特許文献１に記載の発明においては、画素の数が減ってしまい画質が劣化してしまう。
【００１５】
本発明は、このような状況に鑑みてなされたものであり、画質を劣化させることなく、また、回路規模または処理量をそれほど大きくすることなく、同時に複数の画像を記録することができるようにするものである。
【課題を解決するための手段】
【００１６】
本発明の第１の側面の記録装置は、動画像をDV（Digital Video）方式の第１の画像データに符号化する第１の符号化手段と、前記第１の画像データを記録する第１の記録手段と、記録されている前記第１の画像データをコンポジット信号に変換する変換手段と、前記コンポジット信号に所定の信号処理を適用する信号処理手段と、前記信号処理が適用された前記コンポジット信号を基に、前記動画像をH.264/AVC（ITU-T Rec. H.264/ISO/IEC 14496-10 MPEG-4 Part10 Advanced Video Coding）方式の第２の画像データに符号化する第２の符号化手段とを備え、前記信号処理手段は、ゴーストの成分を減衰させる前記信号処理を前記コンポジット信号に適用する。
【００２１】
前記信号処理手段は、輝度信号と色信号とに３次元で分離する前記信号処理を前記コンポジット信号に適用することができる。
【００２４】
本発明の第１の側面の記録方法は、動画像をDV（Digital Video）方式の第１の画像データに符号化し、前記第１の画像データの記録を制御し、記録されている前記第１の画像データをコンポジット信号に変換し、前記コンポジット信号に所定の信号処理を適用し、前記信号処理が適用された前記コンポジット信号を基に、前記動画像をH.264/AVC（ITU-T Rec. H.264/ISO/IEC 14496-10 MPEG-4 Part10 Advanced Video Coding）方式の第２の画像データに符号化するステップを含み、前記所定の信号処理としてゴーストの成分を減衰させる前記信号処理が前記コンポジット信号に適用される。
【００２５】
本発明の第１の側面のプログラムは、動画像をDV（Digital Video）方式の第１の画像データに符号化し、前記第１の画像データの記録を制御し、記録されている前記第１の画像データをコンポジット信号に変換し、前記コンポジット信号に所定の信号処理を適用し、前記信号処理が適用された前記コンポジット信号を基に、前記動画像をH.264/AVC（ITU-T Rec. H.264/ISO/IEC 14496-10 MPEG-4 Part10 Advanced Video Coding）方式の第２の画像データに符号化するステップをコンピュータに実行させ、前記所定の信号処理としてゴーストの成分を減衰させる前記信号処理が前記コンポジット信号に適用される。
【００２６】
本発明の第１の側面においては、動画像がDV（Digital Video）方式の第１の画像データに符号化され、前記第１の画像データの記録が制御され、記録されている前記第１の画像データがコンポジット信号に変換され、前記コンポジット信号に所定の信号処理が適用され、前記信号処理が適用された前記コンポジット信号を基に、前記動画像がH.264/AVC（ITU-T Rec. H.264/ISO/IEC 14496-10 MPEG-4 Part10 Advanced Video Coding）方式の第２の画像データに符号化される。また、前記所定の信号処理としてゴーストの成分を減衰させる前記信号処理が前記コンポジット信号に適用される。
【００２７】
本発明の第２の側面の記録装置は、第１の動画像をDV方式の第１の画像データに符号化する第１の符号化手段と、第２の動画像を前記DV方式の第２の画像データに符号化する第２の符号化手段と、前記第１の画像データおよび前記第２の画像データを記録する第１の記録手段と、記録されている前記第１の画像データまたは前記第２の画像データをコンポジット信号に変換する変換手段と、前記コンポジット信号に所定の信号処理を適用する信号処理手段と、記録されている前記第１の画像データまたは前記第２の画像データを基に、前記第１の動画像または前記第２の動画像をH.264/AVC方式の第３の画像データに符号化する第３の符号化手段とを備え、前記第３の符号化手段は、前記信号処理が適用された前記コンポジット信号によって、前記第１の動画像または前記第２の動画像を前記第３の画像データに符号化し、前記信号処理手段は、ゴーストの成分を減衰させる前記信号処理を前記コンポジット信号に適用する。
【００３３】
前記信号処理手段は、輝度信号と色信号とに３次元で分離する前記信号処理を前記コンポジット信号に適用することができる。
【００３４】
前記第３の画像データを記録する第２の記録手段をさらに設けることができる。
【００３６】
本発明の第２の側面の記録方法は、第１の動画像を第１の方式の第１の画像データに符号化し、第２の動画像を前記第１の方式の第２の画像データに符号化し、前記第１の画像データおよび前記第２の画像データの記録を制御し、記録されている前記第１の画像データまたは前記第２の画像データをコンポジット信号に変換し、前記コンポジット信号に所定の信号処理を適用し、記録されている前記第１の画像データまたは前記第２の画像データを基に、前記第１の動画像または前記第２の動画像をH.264/AVC方式の第３の画像データに符号化するステップを含み、前記信号処理が適用された前記コンポジット信号によって、前記第１の動画像または前記第２の動画像が前記第３の画像データに符号化され、
前記所定の信号処理として、ゴーストの成分を減衰させる前記信号処理が前記コンポジット信号に適用される。
【００３７】
本発明の第２の側面のプログラムは、第１の動画像を第１の方式の第１の画像データに符号化し、第２の動画像を前記第１の方式の第２の画像データに符号化し、前記第１の画像データおよび前記第２の画像データの記録を制御し、記録されている前記第１の画像データまたは前記第２の画像データをコンポジット信号に変換し、前記コンポジット信号に所定の信号処理を適用し、記録されている前記第１の画像データまたは前記第２の画像データを基に、前記第１の動画像または前記第２の動画像をH.264/AVC方式の第３の画像データに符号化するステップをコンピュータに実行させ、前記信号処理が適用された前記コンポジット信号によって、前記第１の動画像または前記第２の動画像が前記第３の画像データに符号化され、前記所定の信号処理として、ゴーストの成分を減衰させる前記信号処理が前記コンポジット信号に適用される。
【００３８】
本発明の第２の側面においては、第１の動画像が第１の方式の第１の画像データに符号化され、第２の動画像が前記第１の方式の第２の画像データに符号化され、前記第１の画像データおよび前記第２の画像データの記録が制御され、記録されている前記第１の画像データまたは前記第２の画像データがコンポジット信号に変換され、前記コンポジット信号に所定の信号処理が適用され、記録されている前記第１の画像データまたは前記第２の画像データを基に、前記第１の動画像または前記第２の動画像がH.264/AVC方式の第３の画像データに符号化される。また、前記信号処理が適用された前記コンポジット信号によって、前記第１の動画像または前記第２の動画像が前記第３の画像データに符号化され、前記所定の信号処理として、ゴーストの成分を減衰させる前記信号処理が前記コンポジット信号に適用される。
【発明の効果】
【００３９】
以上のように、本発明の第１の側面によれば、画像を記録することができる。
【００４０】
また、本発明の第１の側面によれば、画質を劣化させることなく、また、回路規模または処理量をそれほど大きくすることなく、同時に複数の画像を記録することができる。
【００４１】
本発明の第２の側面によれば、画像を記録することができる。
【００４２】
また、本発明の第２の側面によれば、画質を劣化させることなく、また、回路規模または処理量をそれほど大きくすることなく、同時に複数の画像を記録することができる。
【発明を実施するための最良の形態】
【００４３】
以下に本発明の実施の形態を説明するが、本発明の構成要件と、明細書または図面に記載の実施の形態との対応関係を例示すると、次のようになる。この記載は、本発明をサポートする実施の形態が、明細書または図面に記載されていることを確認するためのものである。従って、明細書または図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００４４】
本発明の第１の側面の記録装置は、第１に、動画像を第１の方式の第１の画像データに符号化する第１の符号化手段（例えば、図２のDVエンコーダ３４−１）と、前記第１の画像データを記録する第１の記録手段（例えば、図２のHDD３５）と、記録されている前記第１の画像データをコンポジット信号に変換する変換手段（例えば、図２の変換部３９）と、前記コンポジット信号に所定の信号処理を適用する信号処理手段（例えば、図２の信号処理部４０）と、前記信号処理が適用された前記コンポジット信号を基に、前記動画像を第２の方式の第２の画像データに符号化する第２の符号化手段（例えば、図２のAVCエンコーダ４１）とを備える。
【００４５】
本発明の第１の側面の記録装置は、第２に、前記第２の画像データを記録する第２の記録手段（例えば、図２のHDD４２）をさらに備える。
【００４６】
本発明の第１の側面の記録方法またはプログラムは、動画像を第１の方式の第１の画像データに符号化し（例えば、図４のステップＳ３３）、前記第１の画像データの記録を制御し（例えば、図４のステップＳ３４）、記録されている前記第１の画像データをコンポジット信号に変換し（例えば、図５のステップＳ５２）、前記コンポジット信号に所定の信号処理を適用し（例えば、図５のステップＳ５３）、前記信号処理が適用された前記コンポジット信号を基に、前記動画像を第２の方式の第２の画像データに符号化する（例えば、図５のステップＳ５６）ステップを含む。
【００４７】
本発明の第２の側面の記録装置は、第１の動画像を第１の方式の第１の画像データに符号化する第１の符号化手段（例えば、図２のDVエンコーダ３４−１）と、第２の動画像を前記第１の方式の第２の画像データに符号化する第２の符号化手段（例えば、図２のDVエンコーダ３４−２）と、前記第１の画像データおよび前記第２の画像データを記録する第１の記録手段（例えば、図２のHDD３５）と、記録されている前記第１の画像データまたは前記第２の画像データを基に、前記第１の動画像または前記第２の動画像を第２の方式の第３の画像データに符号化する第３の符号化手段（例えば、図２のAVCエンコーダ４１）とを備える。
【００４８】
本発明の第２の側面の記録装置は、記録されている前記第１の画像データまたは前記第２の画像データをコンポジット信号に変換する変換手段（例えば、図２の変換部３９）と、前記コンポジット信号に所定の信号処理を適用する信号処理手段（例えば、図２の信号処理部４０）とをさらに設け、前記第３の符号化手段は、前記信号処理が適用された前記コンポジット信号によって、前記第１の動画像または前記第２の動画像を前記第２の方式の前記第３の画像データに符号化することができる。
【００４９】
本発明の第２の側面の記録装置は、前記第３の画像データを記録する第２の記録手段（例えば、図２のHDD４２）をさらに設けることができる。
【００５０】
本発明の第２の側面の記録方法またはプログラムは、第１の動画像を第１の方式の第１の画像データに符号化し（例えば、図４のステップＳ３３）、第２の動画像を前記第１の方式の第２の画像データに符号化し（例えば、図４のステップＳ３７）、前記第１の画像データおよび前記第２の画像データの記録を制御し（例えば、図４のステップＳ３４およびステップＳ３８）、記録されている前記第１の画像データまたは前記第２の画像データを基に、前記第１の動画像または前記第２の動画像を第２の方式の第３の画像データに符号化する（例えば、図５のステップＳ５６）ステップを含む。
【００５１】
図２は、本発明の一実施の形態の記録装置の構成を示すブロック図である。記録装置は、チューナ３１−１およびチューナ３１−２、１次元Y/C分離部３２−１乃至１次元Y/C分離部３２−４、クロマデコーダ３３−１乃至クロマデコーダ３３−４、DV（Digital Video）エンコーダ３４−１乃至DVエンコーダ３４−４、HDD３５、ゴースト基準信号符号化部３６−１およびゴースト基準信号符号化部３６−２、入力ジャック３７−１および入力ジャック３７−２、IEEE（Institute of Electrical and Electronic Engineers）1394インターフェース３８、変換部３９、信号処理部４０、AVCエンコーダ４１、HDD４２、並びに制御部４３から構成される。
【００５２】
なお、音声は、画像と共に処理するようにしても、画像とは別に処理するようにしてもよく、以下の説明において、音声についての説明は省略する。画像データは、音声のデータと多重化したものであっても、音声のデータを含まないものであってもよい。
【００５３】
チューナ３１−１は、アナログの地上波を媒体とする放送を受信するチューナであって、所定のチャンネルの番組を受信して、受信した番組のコンポジット信号を１次元Y/C分離部３２−１に供給する。１次元Y/C分離部３２−１は、フィルタから構成され、周波数帯域によってコンポジット信号の成分を分離することで、コンポジット信号を輝度信号と色信号とに分離する。例えば、１次元Y/C分離部３２−１は、コンポジット信号を、輝度信号と、Ｉ信号およびＱ信号からなる色信号とに分離する。１次元Y/C分離部３２−１は、分離して得られた輝度信号と色信号とをクロマデコーダ３３−１に供給する。
【００５４】
なお、１次元Y/C分離部３２−１は、分離した輝度信号と色信号とを再合成すると、元のコンポジット信号が得られるように、コンポジット信号を輝度信号と色信号とに分離する相補的（コンプリメンタリ）なフィルタとすることが好ましい。
【００５５】
クロマデコーダ３３−１は、１次元Y/C分離部３２−１から供給された輝度信号および色信号を基に、色信号を色差信号に復号する。例えば、クロマデコーダ３３−１は、色差信号として、Cr信号およびCb信号を復号する。クロマデコーダ３３−１は、輝度信号および色差信号をDVエンコーダ３４−１に供給する。
【００５６】
DVエンコーダ３４−１は、クロマデコーダ３３−１から供給された輝度信号および色差信号をDV方式で符号化することで、DV方式の画像データを生成する。DVエンコーダ３４−１は、符号化により得られたDV方式の画像データをHDD３５に供給する。
【００５７】
HDD３５は、DVエンコーダ３４−１から供給されたDV方式の画像データを記録する。
【００５８】
ゴースト基準信号符号化部３６−１は、チューナ３１−１から出力されるコンポジット信号に含まれるゴースト基準信号（ゴーストリファレンス信号）を所定の方式で符号化して、符号化により得られたゴースト基準データをHDD３５に供給する。例えば、ゴースト基準信号符号化部３６−１は、垂直帰線期間に配置されているゴースト基準信号を所定の周波数で量子化することで、ゴースト基準信号を符号化する。
【００５９】
HDD３５は、ゴースト基準信号符号化部３６−１から供給されたゴースト基準データを記録する。
【００６０】
また、チューナ３１−２は、チューナ３１−１と同様に構成され、アナログの地上波を媒体とする放送を受信するチューナであって、所定のチャンネルの番組を受信して、受信した番組のコンポジット信号を１次元Y/C分離部３２−２に供給する。なお、チューナ３１−２は、チューナ３１−１において受信する番組のチャンネルと異なるチャンネルの番組を受信するようにしても、チューナ３１−１において受信する番組のチャンネルと同じチャンネルの番組、すなわち、同じ番組を受信するようにしてもよい。
【００６１】
１次元Y/C分離部３２−２は、１次元Y/C分離部３２−１と同様に構成され、コンポジット信号を輝度信号と色信号とに分離する。１次元Y/C分離部３２−２は、分離して得られた輝度信号と色信号とをクロマデコーダ３３−２に供給する。
【００６２】
クロマデコーダ３３−２は、クロマデコーダ３３−１と同様に構成され、１次元Y/C分離部３２−２から供給された輝度信号および色信号を基に、色信号を色差信号に復号する。クロマデコーダ３３−２は、輝度信号および色差信号をDVエンコーダ３４−２に供給する。
【００６３】
DVエンコーダ３４−２は、DVエンコーダ３４−１と同様に構成され、クロマデコーダ３３−２から供給された輝度信号および色差信号をDV方式で符号化することで、DV方式の画像データを生成する。DVエンコーダ３４−２は、符号化により得られたDV方式の画像データをHDD３５に供給する。
【００６４】
HDD３５は、DVエンコーダ３４−２から供給されたDV方式の画像データを記録する。
【００６５】
ゴースト基準信号符号化部３６−２は、ゴースト基準信号符号化部３６−１と同様に構成され、チューナ３１−２から出力されるコンポジット信号に含まれるゴースト基準信号を所定の方式で符号化して、符号化により得られたゴースト基準データをHDD３５に供給する。
【００６６】
HDD３５は、ゴースト基準信号符号化部３６−２から供給されたゴースト基準データを記録する。
【００６７】
入力ジャック３７−１は、いわゆる、ピンジャックなどからなり、入力ジャック３７−１には、一端のプラグが図示せぬ再生装置に接続されているケーブルの他の一端のプラグが接続される。入力ジャック３７−１には、再生装置から供給されるコンポジット信号が入力されて、入力ジャック３７−１に入力されたコンポジット信号は、１次元Y/C分離部３２−３に供給される。
【００６８】
１次元Y/C分離部３２−３は、１次元Y/C分離部３２−１と同様に構成され、入力ジャック３７−１を介して入力されたコンポジット信号を輝度信号と色信号とに分離する。１次元Y/C分離部３２−３は、分離して得られた輝度信号と色信号とをクロマデコーダ３３−３に供給する。
【００６９】
クロマデコーダ３３−３は、クロマデコーダ３３−１と同様に構成され、１次元Y/C分離部３２−３から供給された輝度信号および色信号を基に、色信号を色差信号に復号する。クロマデコーダ３３−３は、輝度信号および色差信号をDVエンコーダ３４−３に供給する。
【００７０】
DVエンコーダ３４−３は、DVエンコーダ３４−１と同様に構成され、クロマデコーダ３３−３から供給された輝度信号および色差信号をDV方式で符号化することで、DV方式の画像データを生成する。DVエンコーダ３４−３は、符号化により得られたDV方式の画像データをHDD３５に供給する。
【００７１】
HDD３５は、DVエンコーダ３４−３から供給されたDV方式の画像データを記録する。
【００７２】
また、入力ジャック３７−２は、入力ジャック３７−１と同様に構成され、入力ジャック３７−２には、一端のプラグが図示せぬ再生装置に接続されているケーブルの他の一端のプラグが接続される。入力ジャック３７−２には、再生装置から供給されるコンポジット信号が入力されて、入力ジャック３７−２に入力されたコンポジット信号は、１次元Y/C分離部３２−４に供給される。
【００７３】
１次元Y/C分離部３２−４は、１次元Y/C分離部３２−１と同様に構成され、入力ジャック３７−２を介して入力されたコンポジット信号を輝度信号と色信号とに分離する。１次元Y/C分離部３２−４は、分離して得られた輝度信号と色信号とをクロマデコーダ３３−４に供給する。
【００７４】
クロマデコーダ３３−４は、クロマデコーダ３３−１と同様に構成され、１次元Y/C分離部３２−４から供給された輝度信号および色信号を基に、色信号を色差信号に復号する。クロマデコーダ３３−４は、輝度信号および色差信号をDVエンコーダ３４−４に供給する。
【００７５】
DVエンコーダ３４−４は、DVエンコーダ３４−１と同様に構成され、クロマデコーダ３３−４から供給された輝度信号および色差信号をDV方式で符号化することで、DV方式の画像データを生成する。DVエンコーダ３４−４は、符号化により得られたDV方式の画像データをHDD３５に供給する。
【００７６】
HDD３５は、DVエンコーダ３４−４から供給されたDV方式の画像データを記録する。
【００７７】
このように、DVエンコーダ３４−１乃至DVエンコーダ３４−４のそれぞれは、動画像を、例えばDV方式である第１の方式の第１の画像データに符号化する。
【００７８】
なお、入力ジャック３７−１または入力ジャック３７−２に、通常の速度の画像を表示するコンポジット信号だけでなく、通常の速度より速い速度の画像を表示するためのコンポジット信号（例えば、毎秒６０フィードの画像を２倍の速度で毎秒１２０フィールドの画像として表示するためのコンポジット信号）を入力するようにしてもよい。
【００７９】
この場合、例えば、通常の速度より速い速度の画像を表示するためのコンポジット信号のキャリアの周波数は、画像の速度に応じて高い周波数とされる。１次元Y/C分離部３２−３および１次元Y/C分離部３２−４並びにクロマデコーダ３３−３およびクロマデコーダ３３−４は、キャリアがより高い周波数とされたコンポジット信号を処理できるように構成される。さらに、DVエンコーダ３４−３およびDVエンコーダ３４−４は、通常の速度より速い速度の画像に応じた輝度信号および色差信号をDV方式で符号化できるように構成される。
【００８０】
IEEE1394インターフェース３８は、IEEE1394の規格に準拠するように構成され、例えば、DV方式の画像データを記録するデジタルビデオに接続される。IEEE1394インターフェース３８は、接続されているDV方式の画像データを記録するデジタルビデオから供給されてくるDV方式の画像データを取得して、取得したDV方式の画像データをHDD３５に供給する。
【００８１】
HDD３５は、IEEE1394インターフェース３８から供給されたDV方式の画像データを記録する。
【００８２】
このように、HDD３５には、DV方式の画像データが記録される。
【００８３】
チューナ３１−１乃至DVエンコーダ３４−１と、チューナ３１−２乃至DVエンコーダ３４−２とが独立して並列にHDD３５にDV方式の画像データを供給するので、HDD３５は、同時に放送されている２つの番組のDV方式の画像データをそれぞれ記録することができる。
【００８４】
また、入力ジャック３７−１に入力されたコンポジット信号と、入力ジャック３７−２に入力されたコンポジット信号とが、独立して並列にDV方式の画像データに変換されるので、HDD３５は、同時に入力されたコンポジット信号から得られた画像データをそれぞれ記録することができる。
【００８５】
さらにまた、番組のDV方式の画像データと、外部から入力されたコンポジット信号から得られた画像データと、IEEE1394インターフェース３８から供給されたDV方式の画像データとは、同時に、またそれぞれ独立にHDD３５に記録されることになる。
【００８６】
以上のように、HDD３５は、例えば、DV方式である第１の方式の第１の画像データを記録する。
【００８７】
なお、第１の画像データの符号化の第１の方式の一例として、DV方式をあげたが、これに限らず、第１の画像データの符号化の第１の方式は、処理量の小さい方式であればよい。例えば、MPEGイントラ符号化またはモーションJPEG（Joint Photographic Experts Group）などフレームで閉じた符号化方式を採用することができる。
【００８８】
HDD３５は、記録されている画像データのいずれかを変換部３９に供給する。
【００８９】
変換部３９は、HDD３５に記録されている、例えば、DV方式である第１の方式の第１の画像データをコンポジット信号に変換する。変換部３９は、変換により得られたコンポジット信号を信号処理部４０に供給する。
【００９０】
変換部３９は、DVデコーダ５１、Y/C複合部５２、およびゴースト基準信号復号部５３から構成される。
【００９１】
DVデコーダ５１は、HDD３５に記録されているDV方式の画像データを復号して、復号により得られた輝度信号および色差信号をY/C複合部５２に供給する。ゴースト基準信号復号部５３は、HDD３５に記録されているゴースト基準データであって、DVデコーダ５１において復号されている画像データに符号化されたコンポジット信号に含まれるゴースト基準信号を符号化したゴースト基準データを復号する。ゴースト基準信号復号部５３は、復号により得られたゴースト基準信号をY/C複合部５２に供給する。
【００９２】
Y/C複合部５２は、DVデコーダ５１から供給された輝度信号および色差信号、並びにゴースト基準信号復号部５３から供給されたゴースト基準信号を複合することで、コンポジット信号を生成する。例えば、まず、Y/C複合部５２は、DVデコーダ５１から供給された輝度信号および色差信号から、色信号を生成する。Y/C複合部５２は、生成した色信号でサブキャリアを変調することで色信号と輝度信号とを複合する。Y/C複合部５２は、複合の結果得られた信号に、さらに、ゴースト基準信号を複合することで、コンポジット信号を生成する。
【００９３】
なお、DVデコーダ５１が、輝度信号および色差信号から、色信号を生成し、輝度信号と色信号とをY/C複合部５２に供給するようにしてもよい。
【００９４】
Y/C複合部５２は、生成したコンポジット信号を信号処理部４０に供給する。
【００９５】
このように、信号処理部４０には、ゴースト基準信号を含むコンポジット信号が供給される。
【００９６】
信号処理部４０は、コンポジット信号に所定の信号処理を適用する。信号処理部４０は、信号処理の結果、コンポジット信号から得られた輝度信号および色差信号をAVCエンコーダ４１に供給する。
【００９７】
信号処理部４０は、ゴーストリデューサ５４、３次元Y/C分離部５５、およびクロマデコーダ５６から構成される。
【００９８】
ゴーストリデューサ５４は、変換部３９から供給されたコンポジット信号に、ゴーストの成分を減衰させる信号処理を適用する。例えば、ゴーストリデューサ５４は、コンポジット信号に含まれているゴースト基準信号を基準とした、ゴーストの成分を減衰させる信号処理をコンポジット信号に適用する。なお、ゴーストリデューサ５４は、コンポジット信号にゴースト基準信号が含まれていない場合、輝度信号または色信号を基にした、ゴーストの成分を減衰させる信号処理をコンポジット信号に適用する。
【００９９】
ゴーストリデューサ５４は、ゴーストの成分を減衰させたコンポジット信号を３次元Y/C分離部５５に供給する。
【０１００】
３次元Y/C分離部５５は、ゴーストリデューサ５４から供給されたコンポジット信号について、画像の画面方向と時間方向とで差分を取ることにより、コンポジット信号を輝度信号と色信号とに分離する。例えば、３次元Y/C分離部５５は、コンポジット信号を輝度信号と、Ｉ信号およびＱ信号からなる色信号とに分離する。３次元Y/C分離部５５は、分離して得られた輝度信号と色信号とをクロマデコーダ５６に供給する。
【０１０１】
クロマデコーダ５６は、３次元Y/C分離部５５から供給された輝度信号および色信号を基に、色信号を色差信号に復号する。例えば、クロマデコーダ５６は、Ｉ信号およびＱ信号からなる色信号を、Cr信号およびCb信号である色差信号に復号する。クロマデコーダ５６は、輝度信号および色差信号をAVCエンコーダ４１に供給する。
【０１０２】
AVCエンコーダ４１は、信号処理部４０から供給された輝度信号および色差信号を、H.264/AVC（ITU-T Rec. H.264/ISO/IEC 14496-10 MPEG-4 Part10 Advanced Video Coding）方式で符号化して、H.264/AVC方式の画像データを生成する。すなわち、AVCエンコーダ４１は、例えば、DV方式である第１の方式における符号化の処理量に比較して、符号化の処理量の大きい第２の方式で動画像を第２の動画像データに符号化する。AVCエンコーダ４１は、生成したH.264/AVC方式の画像データをHDD４２に供給する。
【０１０３】
なお、H.264/AVC方式に限らず、MPEG２方式またはMPEG４方式など、他の方式で、信号処理部４０から供給された輝度信号および色差信号を符号化するようにしてもよい。
【０１０４】
HDD４２は、AVCエンコーダ４１から供給されたH.264/AVC方式の画像データを記録する。
【０１０５】
制御部４３は、記録装置全体を制御する。
【０１０６】
このように、HDD３５に画像データを供給する系統が複数設けられるのに対して、HDD３５に記録された画像データを処理する系統は、１系統とされる。
【０１０７】
図２の記録装置において、HDD３５に記録された画像データを処理する系統は、１系統とされ、AVCエンコーダ４１および３次元Y/C分離部５５は、DVエンコーダ３４−１乃至DVエンコーダ３４−４の数と無関係に、それぞれ１つだけ設けられる。
【０１０８】
同様に、図２の記録装置において、比較的回路規模が大きいか、比較的処理量が大きいゴーストリデューサ５４は、DVエンコーダ３４−１乃至DVエンコーダ３４−４の数と無関係に、１つだけ設けられる。
【０１０９】
DVエンコーダ３４−１乃至DVエンコーダ３４−４のそれぞれの回路規模は、AVCエンコーダ４１の回路規模に比較して、小さい。また、DVエンコーダ３４−１乃至DVエンコーダ３４−４のそれぞれにおける処理量（演算量）は、AVCエンコーダ４１における処理量に比較して、小さい。
【０１１０】
１次元Y/C分離部３２−１乃至１次元Y/C分離部３２−４のそれぞれの回路規模は、３次元Y/C分離部５５の回路規模に比較して、小さい。また、１次元Y/C分離部３２−１乃至１次元Y/C分離部３２−４のそれぞれにおける処理量（演算量）は、３次元Y/C分離部５５における処理量に比較して、小さい。
【０１１１】
このように、HDD３５に画像データを供給する系統には、処理量が小さい（回路規模が小さい）処理が採用される。また、HDD３５に記録された画像データを処理する系統には、処理量が大きい（回路規模が大きい）がより高性能な処理が採用される。
【０１１２】
このようにすることで、HDD３５に画像データを供給する系統の数を増やして、同時に記録できる画像データの数を増やしても、装置全体の処理量（回路規模）はそれほど大きくならない。HDD３５に画像データを供給する系統の数に関わらず、HDD３５に記録された画像データを処理する系統は、１系統とされるので、ここに処理量が大きい（回路規模が大きい）処理が採用されても、装置全体の処理量（回路規模）はそれほど大きくならない。
【０１１３】
また、リアルタイムで放送される番組の画像データは一旦HDD３５に記録され、さらに、HDD３５に記録された画像データが処理されるので、例えば、リアルタイムで画像の処理を完結できないような（例えば、３０分の画像に１時間の処理時間が必要とされるような）処理量の大きい信号処理または符号化の処理であっても、HDD３５に記録された画像データを処理する系統に採用することができる。
【０１１４】
例えば、HDD３５に記録された画像データの符号化に、MPEGに比較して処理量の大きいH.264/AVC方式を採用することができる。
【０１１５】
また、HDD３５に記録された画像データの符号化において、処理時間の制約を考慮する必要がなくなるので、例えば、AVCエンコーダ４１は、より高画質でより圧縮率の高い画像データを生成することができる。
【０１１６】
以上のように、回路規模または処理量をそれほど大きくすることなく、同時に複数の画像を記録することができる。
【０１１７】
また、図２の記録装置において、画素数またはピクチャなどが間引かれることはないので、画質が劣化することがない。
【０１１８】
なお、HDD３５が、AVCエンコーダ４１から供給されたH.264/AVC方式の画像データを記録するようにしてもよい
【０１１９】
また、HDD３５またはHDD４２に代えて、光ディスクおよびそのドライブなど、他の方式の記録媒体に画像データを記録するようにしてもよい。
【０１２０】
なお、チューナ３１−１またはチューナ３１−２は、デジタルの地上波を媒体とする放送を受信するか、またはデジタルの衛星放送または衛星通信の電波を媒体とする放送を受信するか、ケーブルテレビなどのいわゆる有線放送を受信するようにしてもよい。
【０１２１】
また、変換部３９、信号処理部４０、およびAVCエンコーダ４１は、HDD３５に記録されている画像データのうち、長期的に保存する画像データだけを処理するようにしてもよい。
【０１２２】
なお、ゴースト基準信号符号化部３６−１、ゴースト基準信号符号化部３６−２、およびゴースト基準信号復号部５３を省略するようにしてもよい。この場合、Y/C複合部５２は、輝度信号および色信号のみを複合してコンポジット信号を生成し、ゴーストリデューサ５４は、輝度信号または色信号を基にした、ゴーストの成分を減衰させる信号処理をこのコンポジット信号に適用する。
【０１２３】
次に、図３のフローチャートを参照して、記録の処理を説明する。ステップＳ１１において、チューナ３１−１およびチューナ３１−２、１次元Y/C分離部３２−１乃至１次元Y/C分離部３２−４、クロマデコーダ３３−１乃至クロマデコーダ３３−４、DVエンコーダ３４−１乃至DVエンコーダ３４−４、HDD３５、並びにゴースト基準信号符号化部３６−１およびゴースト基準信号符号化部３６−２は、第１段階の記録の処理を実行する。第１段階の記録の処理の詳細は、後述する。
【０１２４】
ステップＳ１２において、制御部４３は、HDD３５の指定された領域に記録されている番組のデータ量、すなわち、画像データのデータ量が、予め決められた記録容量を超えたか否かを判定する。例えば、ステップＳ１２において、制御部４３は、HDD３５の領域であって、１時間分、１日分、または１週間分の画像データをループ状（リングバッファ状）に記録する領域に記録された画像データのデータ量が、予め決められた記録容量を超えたか否かを判定する。
【０１２５】
ステップＳ１２において、HDD３５の指定された領域に記録されている画像データのデータ量が、予め決められた記録容量を超えていないと判定された場合、ステップＳ１１に戻り、第１段階の記録の処理が繰り返される。
【０１２６】
ステップＳ１２において、HDD３５の指定された領域に記録されている画像データのデータ量が、予め決められた記録容量を超えたと判定された場合、ステップＳ１３に進み、制御部４３は、HDD３５に画像データが記録されている番組の中から１つの番組を選択する。
【０１２７】
ステップＳ１４において、制御部４３は、選択した番組は、保存が指定されている番組であるか否かを判定し、保存が指定されている番組であると判定された場合、ステップＳ１５に進み、変換部３９、信号処理部４０、AVCエンコーダ４１、およびHDD４２は、第２段階の記録の処理を実行する。第２段階の記録の処理の詳細は、後述する。
【０１２８】
例えば、ステップＳ１４において、制御部４３は、選択した番組についてのメタデータを参照して、選択した番組が、使用者の操作によって番組表から予約された番組である場合、使用者はその番組を重要視していると考えられるので、選択した番組は、保存が指定されている番組であると判定する。
【０１２９】
一方、ステップＳ１４において、保存が指定されている番組でないと判定された場合、ステップＳ１６に進み、制御部４３は、選択した番組をDVDに記録するか否かを判定し、DVDに記録すると判定された場合、ステップＳ１５に進み、変換部３９、信号処理部４０、AVCエンコーダ４１、およびHDD４２は、第２段階の記録の処理を実行する。
【０１３０】
なお、DVDに記録すると判定された番組の画像データは、第２段階の記録の処理において、MPEG２方式で符号化するのが好ましい。すなわち、所望の記録媒体に記録すると判定された場合には、第２段階の記録の処理において、その記録媒体に応じた方式で画像データを予め符号化するようにすれば、迅速に記録媒体に画像データを記録することができるようになる。
【０１３１】
ステップＳ１５の後、手続きは、ステップＳ１８に進む。
【０１３２】
ステップＳ１６において、DVDに記録しないと判定された場合、ステップＳ１７に進み、制御部４３は、HDD３５に、選択した番組の画像データを消去させて、ステップＳ１８に進む。
【０１３３】
ステップＳ１８において、制御部４３は、HDD３５の指定された領域に記録されている総ての番組を処理したか否かを判定し、総ての番組を処理していないと判定された場合、ステップＳ１３に戻り、次の番組を選択して、ステップＳ１４乃至ステップＳ１７の処理を繰り返す。
【０１３４】
ステップＳ１８において、総ての番組を処理したと判定された場合、ステップＳ１１に戻り、第１段階の記録の処理が繰り返される。
【０１３５】
なお、フローチャートで処理を説明する都合上、第１段階の記録の処理と第２段階の記録の処理とがあたかも直列に実行されるように説明したが、実際には、第１段階の記録の処理と第２段階の記録の処理とは並列に実行される。すなわち、ステップＳ１１における第１段階の記録の処理の実行中に、ステップＳ１２乃至ステップＳ１８の処理が実行される。
【０１３６】
図４は、図３のステップＳ１１に対応する第１段階の記録の処理の詳細を説明するフローチャートである。ステップＳ３１において、１次元Y/C分離部３２−１は、チューナ３１−１から供給された第１のコンポジット信号を輝度信号と色信号とに１次元で分離する。例えば、ステップＳ３１において、１次元Y/C分離部３２−１は、チューナ３１−１から供給された第１のコンポジット信号を、周波数帯域によってコンポジット信号の成分に分離することで、輝度信号と、Ｉ信号およびＱ信号からなる色信号とに分離する。１次元Y/C分離部３２−１は、第１のコンポジット信号から分離した輝度信号と色信号とをクロマデコーダ３３−１に供給する。
【０１３７】
ステップＳ３２において、クロマデコーダ３３−１は、第１のコンポジット信号から分離された輝度信号と色信号とを基に、第１のコンポジット信号から分離された色信号を色差信号に復号する。例えば、ステップＳ３２において、クロマデコーダ３３−１は、復号により、色差信号として、Cr信号およびCb信号を得る。クロマデコーダ３３−１は、第１のコンポジット信号から得られた輝度信号と色差信号とをDVエンコーダ３４−１に供給する。
【０１３８】
ステップＳ３３において、DVエンコーダ３４−１は、第１のコンポジット信号から得られた輝度信号と色差信号とをDV方式で符号化し、DV方式の画像データを生成する。DVエンコーダ３４−１は、第１のコンポジット信号から生成された画像データをHDD３５に供給する。
【０１３９】
ステップＳ３４において、HDD３５は、第１のコンポジット信号から得られたDV方式の画像データを記録する。
【０１４０】
なお、ステップＳ３１乃至ステップＳ３４の処理と並列して、ゴースト基準信号符号化部３６−１において、チューナ３１−１から出力される第１のコンポジット信号に含まれるゴースト基準信号が所定の方式で符号化され、符号化により得られたゴースト基準データがHDD３５に記録される。
【０１４１】
さらに、ステップＳ３１乃至ステップＳ３４に並列して、ステップＳ３５乃至ステップＳ３８が実行される。
【０１４２】
ステップＳ３５において、１次元Y/C分離部３２−２は、ステップＳ３１の処理と同様に、チューナ３１−２から供給された第２のコンポジット信号を輝度信号と色信号とに１次元で分離する。１次元Y/C分離部３２−２は、第２のコンポジット信号から分離した輝度信号と色信号とをクロマデコーダ３３−２に供給する。
【０１４３】
ステップＳ３６において、クロマデコーダ３３−２は、ステップＳ３２の処理と同様に、第２のコンポジット信号から分離された輝度信号と色信号とを基に、第２のコンポジット信号から分離された色信号を色差信号に復号する。クロマデコーダ３３−２は、第２のコンポジット信号から得られた輝度信号と色差信号とをDVエンコーダ３４−２に供給する。
【０１４４】
ステップＳ３７において、DVエンコーダ３４−２は、ステップＳ３３の処理と同様に、第２のコンポジット信号から得られた輝度信号と色差信号とをDV方式で符号化し、DV方式の画像データを生成する。DVエンコーダ３４−２は、第２のコンポジット信号から生成された画像データをHDD３５に供給する。
【０１４５】
ステップＳ３８において、ステップＳ３４の処理と同様に、HDD３５は、第２のコンポジット信号から得られたDV方式の画像データを記録して、処理は終了する。
【０１４６】
なお、ステップＳ３５乃至ステップＳ３８の処理と並列して、ゴースト基準信号符号化部３６−２において、チューナ３１−２から出力される第２のコンポジット信号に含まれるゴースト基準信号が所定の方式で符号化され、符号化により得られたゴースト基準データがHDD３５に記録される。
【０１４７】
このように、同時に放送されている２つの番組のDV方式の画像データがHDD３５にそれぞれ記録される。
【０１４８】
また、入力ジャック３７−１または入力ジャック３７−２からコンポジット信号が入力された場合、ステップＳ３１乃至ステップＳ３４の処理、またはステップＳ３５乃至ステップＳ３８の処理と同様の処理で、入力ジャック３７−１または入力ジャック３７−２に入力されたコンポジット信号からDV方式の画像データが生成されて、DV方式の画像データがHDD３５に記録される。この処理も、ステップＳ３１乃至ステップＳ３８の処理と並列に実行される。
【０１４９】
さらに、IEEE1394インターフェース３８から供給されたDV方式の画像データがHDD３５に記録される処理も、これらの処理と並列に実行される。
【０１５０】
このように、複数のDV方式の画像データが並列に生成され、それぞれの画像データがHDD３５に記録される。処理量の小さい処理でそれぞれの画像データが生成されるので、並列に生成される画像データの数を増やしても、全体としての処理量はそれほど大きくならない。
【０１５１】
次に、第２段階の記録の処理について説明する。
【０１５２】
図５は、図３のステップＳ１５に対応する第２段階の記録の処理の詳細を説明するフローチャートである。ステップＳ５１において、変換部３９のDVデコーダ５１は、ステップＳ１３の処理で選択された番組のDV方式の画像データをHDD３５から読み出して、読み出したDV方式の画像データを復号し、復号により得られた輝度信号および色差信号をY/C複合部５２に供給する。
【０１５３】
ステップＳ５２において、変換部３９のY/C複合部５２は、ステップＳ５１における復号により得られた輝度信号および色差信号を複合してコンポジット信号を生成する。なお、ステップＳ５１において復号の対象となる画像データに符号化されたコンポジット信号に含まれるゴースト基準信号を符号化したゴースト基準データがHDD３５に記録されている場合、ゴースト基準信号復号部５３によって、ゴースト基準データが復号されて、ステップＳ５２において、Y/C複合部５２は、輝度信号および色差信号を複合すると共に、さらに復号により得られたゴースト基準信号を複合してコンポジット信号を生成する。Y/C複合部５２は、生成したコンポジット信号を信号処理部４０に供給する。
【０１５４】
ステップＳ５３において、信号処理部４０のゴーストリデューサ５４は、コンポジット信号のゴーストの成分を減衰させて、ゴーストの成分を減衰したコンポジット信号を３次元Y/C分離部５５に供給する。
【０１５５】
ステップＳ５４において、信号処理部４０の３次元Y/C分離部５５は、コンポジット信号を輝度信号と色信号とに３次元で分離する。例えば、３次元Y/C分離部５５は、ゴーストの成分が減衰させられたコンポジット信号について、画像の画面方向と時間方向とで差分を取ることにより、コンポジット信号を輝度信号と、Ｉ信号およびＱ信号からなる色信号とに分離する。３次元Y/C分離部５５は、分離して得られた輝度信号と色信号とをクロマデコーダ５６に供給する。
【０１５６】
ステップＳ５５において、クロマデコーダ５６は、コンポジット信号から分離された輝度信号および色信号を基に、色信号を色差信号に復号する。例えば、ステップＳ５５において、クロマデコーダ５６は、Ｉ信号およびＱ信号からなる色信号を、Cr信号およびCb信号である色差信号に復号する。クロマデコーダ５６は、輝度信号および色差信号をAVCエンコーダ４１に供給する。
【０１５７】
ステップＳ５６において、AVCエンコーダ４１は、復号により得られた輝度信号および色差信号を、H.264/AVC方式で符号化して、H.264/AVC方式の画像データを生成する。AVCエンコーダ４１は、生成したH.264/AVC方式の画像データをHDD４２に供給する。
【０１５８】
ステップＳ５７において、HDD４２は、ステップＳ５６で生成されたH.264/AVC方式の画像データを記録して、処理は終了する。
【０１５９】
このように、HDD３５に記録された画像データが、一旦、コンポジット信号の変換されて、コンポジット信号に信号処理が適用されて、信号処理されたコンポジット信号から画像が符号化されて画像データが生成される。この場合、コンポジット信号への信号処理および符号化の処理には、処理量が大きいがより高性能な処理が採用される。
【０１６０】
HDD３５に記録された画像データに対する処理は、画像データに対して順に実行されるので、処理量が大きい処理が採用されても、全体の処理量はそれほど大きくならない。
【０１６１】
以上のように、画質を劣化させることなく、また、回路規模または処理量をそれほど大きくすることなく、同時に複数の画像を記録することができるようになる。
【０１６２】
特に、HDD３５に記録する画像データを生成する系統の数が多くなるほど、従来に比較して、全体としての、回路規模または処理量を小さくすることができ、よって、より安価に記録装置を実現することができる。
【０１６３】
このように、画像を符号化し、符号化により得られた画像データを記録するようにした場合には、画像を記録することができる。また、動画像を第１の方式の第１の画像データに符号化し、第１の画像データを記録し、記録されている第１の画像データをコンポジット信号に変換し、コンポジット信号に所定の信号処理を適用し、信号処理が適用されたコンポジット信号を基に、動画像を第２の方式の第２の画像データに符号化するようにした場合には、画質を劣化させることなく、また、回路規模または処理量をそれほど大きくすることなく、同時に複数の画像を記録することができる。
【０１６４】
第１の動画像を第１の方式の第１の画像データに符号化し、第２の動画像を第１の方式の第２の画像データに符号化し、第１の画像データおよび第２の画像データを記録し、記録されている第１の画像データまたは第２の画像データを基に、第１の動画像または第２の動画像を第２の方式の第３の画像データに符号化するようにした場合には、画質を劣化させることなく、また、回路規模または処理量をそれほど大きくすることなく、同時に複数の画像を記録することができる。
【０１６５】
図６は、上述した一連の処理をプログラムにより実行するパーソナルコンピュータの構成の例を示すブロック図である。CPU（Central Processing Unit）１０１は、ROM（Read Only Memory）１０２、または記憶部１０８に記憶されているプログラムに従って各種の処理を実行する。RAM（Random Access Memory）１０３には、CPU１０１が実行するプログラムやデータなどが適宜記憶される。これらのCPU１０１、ROM１０２、およびRAM１０３は、バス１０４により相互に接続されている。
【０１６６】
なお、CPU１０１として、”Ｃｅｌｌ誕生”、日経エレクトロニクス、日経BP社、２００５年２月２８日、８９頁乃至１１７頁に記載されているＣｅｌｌを採用することができる。
【０１６７】
CPU１０１にはまた、バス１０４を介して入出力インターフェース１０５が接続されている。入出力インターフェース１０５には、キーボード、マウス、マイクロホンなどよりなる入力部１０６、ディスプレイ、スピーカなどよりなる出力部１０７が接続されている。CPU１０１は、入力部１０６から入力される指令に対応して各種の処理を実行する。そして、CPU１０１は、処理の結果を出力部１０７に出力する。
【０１６８】
入出力インターフェース１０５に接続されている記憶部１０８は、例えばハードディスクからなり、CPU１０１が実行するプログラムや各種のデータを記憶する。通信部１０９は、インターネットやローカルエリアネットワークなどのネットワークを介して外部の装置と通信する。
【０１６９】
また、通信部１０９を介してプログラムを取得し、記憶部１０８に記憶してもよい。
【０１７０】
入出力インターフェース１０５に接続されているドライブ１１０は、磁気ディスク、光ディスク、光磁気ディスク、或いは半導体メモリなどのリムーバブルメディア１１１が装着されたとき、それらを駆動し、そこに記録されているプログラムやデータなどを取得する。取得されたプログラムやデータは、必要に応じて記憶部１０８に転送され、記憶される。
【０１７１】
上述した一連の処理は、ハードウエアにより実行させることもできるし、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム記録媒体からインストールされる。
【０１７２】
コンピュータにインストールされ、コンピュータによって実行可能な状態とされるプログラムを格納するプログラム記録媒体は、図６に示すように、磁気ディスク（フレキシブルディスクを含む）、光ディスク（CD-ROM(Compact Disc-Read Only Memory),DVD(Digital Versatile Disc)を含む）、光磁気ディスクを含む）、もしくは半導体メモリなどよりなるパッケージメディアであるリムーバブルメディア１１１、または、プログラムが一時的もしくは永続的に格納されるROM１０２や、記憶部１０８を構成するハードディスクなどにより構成される。プログラム記録媒体へのプログラムの格納は、必要に応じてルータ、モデムなどのインターフェースである通信部１０９を介して、ローカルエリアネットワーク、インターネット、デジタル衛星放送といった、有線または無線の通信媒体を利用して行われる。
【０１７３】
なお、本明細書において、プログラム記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０１７４】
なお、本発明の実施の形態は、上述した実施の形態に限定されるものではなく、本発明の要旨を逸脱しない範囲において種々の変更が可能である。
【図面の簡単な説明】
【０１７５】
【図１】従来のHDDレコーダの構成を示すブロック図である。
【図２】本発明の一実施の形態の記録装置の構成を示すブロック図である。
【図３】記録の処理を説明するフローチャートである。
【図４】第１段階の記録の処理の詳細を説明するフローチャートである。
【図５】第２段階の記録の処理の詳細を説明するフローチャートである。
【図６】パーソナルコンピュータの構成の例を示すブロック図である。
【符号の説明】
【０１７６】
３１−１および３１−２  チューナ，  ３２−１乃至３２−４  １次元Y/C分離部，  ３３−１乃至３３−４  クロマデコーダ，  ３４−１乃至３４−４  DVエンコーダ，  ３５  HDD，  ３６−１および３６−２  ゴースト基準信号符号化部，  ３９  変換部，  ４０  信号処理部，  ４１  AVCエンコーダ，  ４２  HDD，  ５１  DVデコーダ，  ５２  Y/C複合部，  ５３  ゴースト基準信号復号部，  ５４  ゴーストリデューサ，  ５５  ３次元Y/C分離部，  ５６  クロマデコーダ，  １０１  ＣＰＵ，  １０２  ＲＯＭ，  １０３  ＲＡＭ，  １０８  記憶部，  １１１  リムーバブルメディア
【図１】
0004645401.tif 000002
【図２】
0004645401.tif 000003
【図３】
0004645401.tif 000004
【図４】
0004645401.tif 000005
【図５】
0004645401.tif 000006
【図６】
0004645401.tif 000007